(57)【特許請求の範囲】
【請求項１】
外部の映像を撮影するカメラによる映像取得手段と、この映像取得手段で得られた映像を伝送するネットワーク手段と、前記映像取得手段で得られた映像を前記ネットワーク手段を介して表示可能にした表示部に背景映像とともに歌うべき歌詞を表示しながら歌唱するカラオケ演奏手段とを備え、
前記カラオケ演奏手段は、複数の楽曲データと、背景映像データを蓄積する記憶部と、歌唱の際、利用者が前記表示部に表示する背景映像を前記映像取得手段で得られた映像か、あらかじめ歌唱する各楽曲データとを一対に対応づけて、または一定のジャンルに基づいて所定の確率で選択されて表示する事前背景映像にするかを選択する切り替え手段とを有し、
前記切り替え手段で、表示部に表示する背景画像として、前記映像取得手段で得られた映像を選択し、当該映像の利用許可が得られた際、同一の映像が他に利用されていない場合、当該利用者が映像取得手段の前記カメラの操作権限を、その楽曲データの再生中にて独占し、一方、同一の映像が既に利用されている場合、当該他の楽曲データの再生終了後に、当該利用者が映像取得手段の前記カメラの操作権限を、その楽曲データの再生中にて独占することを特徴とするカラオケシステム。
【請求項２】
歌唱の際、背景映像として選択された前記映像取得手段によるカメラは、撮影角度またはズームなどのリモート手段を設けたことを特徴とする前記請求項１に記載のカラオケシステム。
【発明の詳細な説明】
【０００１】
【発明の属する技術分野】
本発明は、表示部に背景映像とともに歌うべき歌詞を表示しながら歌唱するカラオケシステムに関する。
【０００２】
【従来の技術】
従来のカラオケ演奏システムは、カラオケ演奏を行うための演奏データと歌詞データからなる複数の楽曲データがカラオケ装置内に蓄積されるとともに、背景映像データにいたっては、各楽曲毎に対応してあるいは、一定のジャンル毎に選択されて表示されるように同カラオケ装置内に蓄積されている。
【０００３】
そして、歌唱に先立ち、所望の楽曲を選択すると、一対一に対応、又は一定のジャンルに基づいて選択された背景映像データが選択されて、背景映像を表示しながら歌唱する事ができるようになっている。しかしながら、蓄えられたデータは不変のものであるため、いつも同じか、所定の確率で表示される同じ映像を繰り返し見るようになってしまうという問題点があった。したがって、背景映像はカラオケの楽曲にあっているであろうという映像を提供者側が一方的に提供しているために利用者の不満も多いという問題が挙げられる。
【０００４】
【発明が解決しようとする課題】
上述したように、従来のカラオケシステムでは、多数の背景映像を供給したとしても、蓄積される記憶容量には限界があるとともに、選択される楽曲によって、固定あるいは、所定の確率で表示される背景映像となってしまい飽きのこない背景映像の供給には限界があった。
【０００５】
そこで本発明は、カラオケシステムの利用者が、歌唱の際の背景映像を一方的に提供されたものだけでなく、背景映像を選択的に切り替えたり、あるいは、無限的に異なるライブ映像を背景映像として表示できるようにしたカラオケシステムを目的とするものである。
【０００６】
【課題を解決するための手段】
上記目的を達成するために、本発明のカラオケシステムは、外部の映像を撮影するカメラによる映像取得手段と、この映像取得手段で得られた映像を伝送するネットワーク手段と、前記映像取得手段で得られた映像を前記ネットワーク手段を介して表示可能にした表示部に背景映像とともに歌うべき歌詞を表示しながら歌唱するカラオケ演奏手段とを備え、
前記カラオケ演奏手段は、複数の楽曲データと、背景映像データを蓄積する記憶部と、歌唱の際、利用者が前記表示部に表示する背景映像を前記映像取得手段で得られた映像か、あらかじめ歌唱する各楽曲データとを一対に対応づけて、または一定のジャンルに基づいて所定の確率で選択されて表示する事前背景映像にするかを選択する切り替え手段とを有し、
前記切り替え手段で、表示部に表示する背景画像として、前記映像取得手段で得られた映像を選択し、当該映像の利用許可が得られた際、同一の映像が他に利用されていない場合、当該利用者が映像取得手段の前記カメラの操作権限を、その楽曲データの再生中にて独占し、一方、同一の映像が既に利用されている場合、当該他の楽曲データの再生終了後に、当該利用者が映像取得手段の前記カメラの操作権限を、その楽曲データの再生中にて独占するものである。
【０００７】
（削除）
【０００８】
（削除）
【０００９】
また、本発明全体を通して、歌唱の際、背景映像として選択された前記映像取得手段によるカメラは、撮影角度またはズームなどのリモート手段を設けたことでよりリアルにライブ映像を楽しむことができるカラオケシステムを提供できるものである。
【００１０】
【発明の実施の形態】
本発明は、外部の映像を撮影するカメラによる映像取得手段によって、カラオケ演奏手段の表示部に、ネットワーク手段を介して表示できるようにしたので、背景映像として飽きのこないライブ映像とともに、歌唱によるカラオケ演奏を楽しむことができる。また、そのライブによる背景映像は、選択的手段および操作可能なリモート手段も有し臨場感を高めている。
【００１１】
【実施例】
以下、本発明のカラオケシステムの実施例について、図面を参照しながら説明する。
（カラオケシステムのシステム構成）
図１は、本発明のカラオケシステム１の一実施例を示した概略説明図である。カラオケシステム１は、利用者が操作するカラオケ端末１５と、カラオケ画像を表示するディスプレイ１６と、配信サービスを受けるために必要な通信機器ＤＣＥ（データ回線終端装置）１４からなる映像表示手段４と、外部の映像を撮影するためのライブカメラ５と、そのライブカメラを制御する映像サーバ６と、利用者からの要求を制御するための制御サーバ７と、インターネット網に接続するための通信機器であるＤＣＥ８からなる映像取得手段２と、映像表示手段４の利用者からの要求をインターネット網１３を経由し、受けるＤＣＥ１２と、楽曲や映像情報をカラオケ端末１５に配信する配信センター１１と、インターネット網９を利用して送られてくる外部映像を受けるためのＤＣＥ１０と、インターネット網９からなるネットワーク手段３によって構成される。
【００１２】
例えば、図３に示されるように利用者が映像表示手段４で示すカラオケ端末１５から楽曲のリクエストを行った場合（ステップ４１）、カラオケ端末１５は、リクエスト番号に合致する楽曲データを読み込むと同時に、楽曲の雰囲気に合致する背景映像を読み込むが、本カラオケシステムでは、図２において予め設定されたＢＧＶ方式により、その背景映像の取得方法が異なる（ステップ４２）。従来どおり、カラオケ端末１５から映像を表示する場合には、ノーマルＢＧＶ再生処理が行われ（ステップ４３）、ライブＢＧＶを利用する場合には、ライブＢＧＶ取得・再生処理が行われる（ステップ４４）。
【００１３】
では、図２に基づいてＢＧＶ方式決定について、その操作フローについて説明する。本カラオケシステムでは、背景映像を出力する手段として、以下の２つから映像ソースを選択することができる。
・カラオケ端末１５に予め内蔵されている映像ソース（ノーマルソース）
・ライブカメラの映像ソース（ライブソース）
この映像ソースの選択権はカラオケ端末１５側の店舗管理者専用のメニューを起動し（ステップ２１）、メニュー内のＢＧＶ方式選択メニューより、「ノーマルソースのみ」の設定か、「利用者がノーマルソース・ライブソース切替を行える」設定のどちらかを選ぶことができる（ステップ２２）。選択された設定内容は、メモリーに保存され、次に設定変更を行うまで有効となる（ステップ２５）。
【００１４】
（ノーマルＢＧＶ設定時の説明）
図４に示されるように背景映像ソースが「ノーマルソース」設定である場合、カラオケ端末にリクエストが発生すると、リクエストを受け付けたカラオケ端末１５は、リクエストされた楽曲の検索を行うとともに、ＢＧＶの検索も行う。ここで、既に設定されているＢＧＶ方式に従い、ノーマルＢＧＶに設定されている場合、リクエスト番号を元に楽曲テーブルを参照し、該当レコード内の楽曲情報のＢＧＶコードを取得する（ステップ６１）。取得されたＢＧＶコードには、楽曲に対応するＢＧＶの参照情報が格納されており、これを元にＢＧＶソースが割り当てられ（ステップ６２）、楽曲データを再生するとともにＢＧＶがディスプレイ１６に表示される（ステップ６３）。
【００１５】
（ライブＢＧＶ設定時の説明）
また図５に示されるように背景映像ソースが「利用者がノーマルソース・ライブソース切替を行える」設定である場合、リクエストを受け付けたカラオケ端末１５は、リクエストされた楽曲の検索を行うとともに、ＢＧＶの検索も行う。ここで、既に設定されているＢＧＶ方式に従い、ライブＢＧＶに設定されている場合、ライブ映像として取得できる背景映像のソース選択の画面を表示する（ステップ８１）。背景映像のソースは、カラオケ端末１５が定期的に監視プログラムを実行し、利用者からのリクエスト発生時に、すぐさま出力できるソースのインデックステーブルを持っており、このインデックステーブルを元に、背景映像として出力可能なソースを画面に縮小表示する（ステップ８２）。利用者は、これらの縮小表示された画面を閲覧し、気に入った画像ソースがあれば選択することで、カラオケ端末１５は、それを背景映像とし、楽曲データと共に演奏を開始する。また、背景映像ソースの選択時には、時間制限を付けることで、一定時間内に背景映像ソースを選択しなかった場合には、ランダムで背景映像ソースが選択される（ステップ８３、８４、８５）。
【００１６】
以下に、ライブソースの取得（ステップ８５）の具体的な方法について、図１および図６、図７を用いて説明する。
（ライブソースの取得方法）
例えば、利用者が、映像表示手段４で示すカラオケ端末１５から楽曲のリクエスト時に背景映像にライブソースを選択した場合に、映像表示手段４で示すカラオケ端末１５は、その情報をＤＣＥ１４を介して３で示すネットワーク手段に受け渡す。このとき、ライブソースの接続状態を一定時間ごとに更新し、その状態を格納しているインデックステーブルを読み込み、画面にはライブ映像として取得可能なライブソースが縮小画面で並べて表示される（ステップ１０１）。利用者は、この画面上に表示されたライブソースの中から好みの映像を選択することで（ステップ１０２）、カラオケ端末１５から制御サーバ７に対して、リクエスト情報の発信を行う。このリクエスト情報には、画像を取得すべき場所が標されているＩＰアドレスとリクエストを受け付けたカラオケ端末１５のＩＰアドレスを付加情報として持っており、この２つのＩＰアドレスを元に、ネットワーク手段３では利用者が望むライブ映像が存在する映像取得手段２にあるＤＣＥ８を辿り、リクエスト情報を渡す。
【００１７】
送られたリクエスト情報を受け取った映像取得手段２に示す制御サーバ７は、その情報の認証を行い、許可された場合のみ映像サーバ６へリクエスト情報を渡す（ステップ１０３）。映像サーバ６は、ライブカメラ５の操作に関する全権限を持つサーバであり、リクエスト情報を受け取った映像サーバ６は、その内容に基づいてライブカメラ５の制御を開始する。
【００１８】
認証が許可されなかった場合や、ライブカメラ側の諸事情によって、映像を送信することができない場合などは、アクセス拒否となり、メッセージ出力後、再びライブソースの選択画面に戻り、受付状態となる。ここで、利用者が他のライブソースを選択した場合は、前項と同様にリクエスト情報を生成し、カラオケ端末１５から制御サーバ７に対して発信を行う。
【００１９】
利用者がライブソースの選択を中止した場合において、リクエストも中止した場合には、リクエストの取り消しとみなし、カラオケ端末１５はリクエストの受付状態になる（ステップ１０６）。ただし、ライブソースの選択を中止し、リクエストを続行する場合には、ノーマルソースの映像を出力し、カラオケ楽曲の再生を行う（ステップ１０７）。
【００２０】
利用者−ライブカメラ間の接続を確立した場合において、ライブ映像を利用者に対して瞬時に送るために、一旦制御サーバ７で認証を受けたリクエスト情報は妥当なものであると判断し、ライブカメラ５の画像は映像サーバ６にその画像を一時保存しながら、制御サーバ７を介すことなく、ＤＣＥ８からインターネット網９へ、その画像情報をリアルタイムに送る。ネットワーク手段３でも、転送にかかる時間を軽減するために、認証が取れていると判断した画像情報はＤＣＥ１０、ＤＣＥ１２を介して映像表示手段４へと送られる。そして利用者がリクエストした画像は、ほぼ遅延することなくカラオケ端末１５から表示装置１６を介してリアルタイムに背景映像として表示される。
【００２１】
また、ライブカメラ５は操作することが可能で、カメラの向きを変えたり、ズームや暗い場所でのライト点灯機能なども備える。操作に関しては、利用者には一定時間の独占権を与えることで、その時間内の利用が可能である。独占権の発生方法は、利用者がリクエスト時に、背景映像にライブカメラ５の映像を選択した場合に送られるリクエスト情報が、制御サーバ７にてライブカメラ５の利用許可を得た時に発生する。この瞬間から、仮想ＩＰ通信として１対１の通信が行われ、取得状態は、楽曲データが再生を完了するまで続く。
【００２２】
この間、他の利用者から同一のライブカメラ５の背景映像が選択された場合には、ライブカメラ５の映像を背景映像として利用可能であるが、操作権限は与えられないので、操作権限を持つ他の利用者が利用時間を満了するまでは、そのライブカメラ５に対しての操作は待ち状態となる。また、この待ち時間は、制御サーバ７上で利用者からのリクエスト情報内のＩＰで管理され、リクエスト順に待ちテーブルに並んでおり、直前の利用者の楽曲データの再生終了を受け取った段階で、ライブカメラ５の独占権が次の利用者に移行される（ステップ１０４）。
【００２３】
またカラオケシステム１では、ネットワーク手段３に配信センター１１を置き、映像取得手段２であらかじめ撮影された映像情報を映像サーバ６からダウンロードし、配信センター１１に蓄積することで、それぞれのロケーションの絶好の撮影タイミングに撮られた画像をカラオケ端末１５に配信することができる。ここでいう絶好の撮影タイミングとは、夕陽の見える海辺の景色や、山岳に昇る朝日、夜の町の風景などを差す。
【００２４】
この場合、配信センター１１内では、オペレーターが映像取得手段２のタイマー操作を行う必要があり、オペレーターが配信センター１１から管理者専用のリクエスト情報を制御サーバ７に送信し、操作権限を獲得し、ライブカメラ５のタイマー撮影を設定する。タイマー設定された制御サーバは指定された時刻が来ると、管理者専用のリクエスト情報以外の全てのリクエスト情報を遮断し、ライブカメラ５の撮影を行い、タイマー設定された時間内の画像を映像サーバ６に保存する。タイマーが完了すると、制御サーバ７へのアクセス遮断が解除され、利用者からのリクエスト情報を受けることが可能になる。
【００２５】
映像サーバ６に保存された映像は、リクエストの集中しない、例えば早朝などに、インターネット網９を使い、配信センター１１に送信される。送信されている間、映像取得手段２は、管理者専用のリクエスト情報以外の全てのリクエスト情報を遮断し、映像の送信に集中する。
【００２６】
【発明の効果】
以上説明したように本発明のカラオケシステムは、ライブカメラとインターネットを利用することで、付近・遠隔地に限らず、リアルタイムな映像を楽しみながらカラオケを利用することができる。利用方法によっては、ネットワーク型のカラオケ歌合戦を行ったり、付近のスーパーマーケットの安売り情報を中継したり、ある特定の運動能力を持っている人しか見れない映像（たとえばヒマラヤ山脈や深海、洞窟など）を背景映像として表示でき、ライブカメラの設置してある場所であれば、世界中どこでも背景映像として取り込むことが可能である。
【図面の簡単な説明】
【図１】本発明のカラオケシステムの実施例を示した概略説明図。
【図２】本発明のカラオケシステムにおける背景映像の再生方式決定処理説明図。
【図３】背景映像における内部処理説明図。
【図４】背景映像におけるノーマルＢＧＶ再生処理説明図。
【図５】背景映像におけるライブＢＧＶ取得再生処理説明図。
【図６】本発明のカラオケシステムにおけるデータリレーション説明図。
【図７】本発明のカラオケシステムにおける処理フロー説明図。
【符号の説明】
１・・・カラオケシステム
２・・・映像取得手段
３・・・ネットワーク手段
４・・・映像表示手段
【図１】
0004195207.tif 000002
【図２】
0004195207.tif 000003
【図３】
0004195207.tif 000004
【図４】
0004195207.tif 000005
【図５】
0004195207.tif 000006
【図６】
0004195207.tif 000007
【図７】
0004195207.tif 000008